(57)【要約】【課題】グランド線を踏む虞の低減、グランド線の接地長さの作業者の体型に合わせた容易な調節、グランド線を踏んだ際の破損防止、コスト低減、容易な着脱、格納時等に邪魔にならないことを可能とする。【解決手段】静電気をアース線３、係止部４ｂ及び延出部４ｃを備えたクランプ４、グランド線５を通して接地放電し、グランド線５を延出部４ｃによりパイプ２から直線状に延出した位置から垂下させる。パイプ２に回り付き係止される円弧状の係止部４ｂの取付角度を変え、グランド線５の接地長さを体型に合わせて容易に調節する。作業者Ｍがグランド線５を踏んでも、延出部４ｃ、円弧部分４ｅが弾性変形して撓みクランプ４の破損を防止する。クランプ４を弾性を有する線状部材としコスト低減する。円弧状係止部４ｂを開き、容易に着脱する。格納時にパイプ２からクランプ４を取り外し又クランプ４の取付角度を変え直立させることで、邪魔にならないようにする。【選択図】図７
2014018139.tif 000002
【特許請求の範囲】
【請求項１】
作業者（Ｍ）が動力源（Ｅ）を含む作業機本体（１）を背負い、前記作業機本体（１）に接続された作業機パイプ（２）を用いて作業を行う背負式動力作業機（１００）の静電気を除去する静電気除去装置（５０）であって、
前記作業機（１００）で発生した静電気を逃がすためのアース線（３）と、
前記アース線（３）を導電接続し前記作業機パイプ（２）に係止される導電性のクランプ（４）と、
前記クランプ（４）に導電接続され前記静電気を接地放電するためのグランドアース線（５）と、を具備し、
前記アース線（３）は、その一端（３ａ）が前記作業機（１００）の一部（２ａ）に導電接続され、
前記クランプ（４）は、
弾性を有する線状部材から成り、
前記アース線（３）の他端（３ｂ）が導電接続する先端部（４ａ）を有し前記作業機パイプ（２）の軸線方向視において円弧状を成して前記作業機パイプ（２）に回り付くことで当該作業機パイプ（２）に係止される係止部（４ｂ）と、
前記係止部（４ｂ）の前記先端部（４ａ）とは反対側の回り付く端部から直線状に所定長延出して張り出し、この張り出した端部（４ｄ）に、前記グランドアース線（５）の一端（５ａ）が導電接続される延出部（４ｃ）と、を備え、
前記グランドアース線（５）は、前記延出部（４ｃ）の前記端部（４ｄ）から垂下しその他端（５ｂ）が接地することを特徴とする背負式動力作業機（１００）の静電気除去装置（５０）。
【請求項２】
前記作業機パイプ（２）は、蛇管（２ｂ）であることを特徴とする請求項１記載の背負式動力作業機（１００）の静電気除去装置（５０）。
【発明の詳細な説明】
【技術分野】
【０００１】
本発明は、背負式動力作業機の静電気除去装置に関する。
【背景技術】
【０００２】
従来、エンジン、送風機、粒剤タンク等の作業機本体を作業者が背負い、エンジンの駆動により送風機を稼動することで、送風機からの送風によって、粒剤タンク内の薬剤を、曲り管、蛇管等を介して噴頭から散布する背負式粒剤散布装置が知られている。このような背負式粒剤散布装置では、粒剤が例えば曲り管等を通過する際に内壁面との衝突や摩擦により静電気が発生するため、この静電気を放電するための静電気除去装置が設けられている。
【０００３】
以下の特許文献１には、導電性の棒状や板状の保持部材の一端を、曲り管の底部に取り付けた固定部材に導電接続すると共に、保持部材の他端を作業者の側方に所定長張り出し、当該他端にチェーンを垂下し接地させることで、静電気が保持部材、チェーンを介して接地放電される静電気除去装置が記載されている。この静電気除去装置では、保持部材によって作業者の側方に所定長張り出した位置からチェーンが垂下するため、作業者にチェーンが接触することを防げると共に、作業者がチェーンを踏み付けることを防止できる。また、チェーンがどこかに引っ掛かったり、また、作業者がチェーンを踏み付けてしまったとしても、保持部材の途中に設けたコイルばねにより保持部材が撓み、チェーンの破損を防止できる。
【先行技術文献】
【特許文献】
【０００４】
【特許文献１】特開２００１−１５７５４２号公報
【発明の概要】
【発明が解決しようとする課題】
【０００５】
しかしながら、上記静電気除去装置にあっては、以下の問題がある。すなわち、作業者の体型（身長）によっては、チェーンが大幅に余ってしまったり、逆に、不足してしまう。また、このようにチェーンが大幅に余ってしまうと、チェーンを踏む可能性が高くなる。また、途中にコイルばねを有する保持部材は、部品コストが高い。また、保持部材を固定部材に組み付けるのに手間がかかる。また、保持部材が側方に大きく張り出しているため、格納時やトラック等での移動時に場所を取り邪魔になる。
【０００６】
そこで、本発明は、背負式粒剤散布装置を始めとした背負式動力作業機にあって、作業者がチェーン等を含むグランドアース線を踏む可能性を低減でき、且つ、グランドアース線の接地長さを作業者の体型に合わせて容易に調節でき、且つ、作業者が万一グランドアース線を踏んでも部品の破損を防止でき、且つ、部品コストを低減でき、且つ、工具不要で容易に着脱でき、且つ、格納時やトラック等での移動時に邪魔にならない背負式動力作業機の静電気除去装置を提供することを目的とする。
【課題を解決するための手段】
【０００７】
本発明による背負式動力作業機（１００）の静電気除去装置（５０）は、作業者（Ｍ）が動力源（Ｅ）を含む作業機本体（１）を背負い、作業機本体（１）に接続された作業機パイプ（２）を用いて作業を行う背負式動力作業機（１００）の静電気を除去する静電気除去装置（５０）であって、作業機（１００）で発生した静電気を逃がすためのアース線（３）と、アース線（３）を導電接続し作業機パイプ（２）に係止される導電性のクランプ（４）と、クランプ（４）に導電接続され静電気を接地放電するためのグランドアース線（５）と、を具備し、アース線（３）は、その一端（３ａ）が作業機（１００）の一部（２ａ）に導電接続され、クランプ（４）は、弾性を有する線状部材から成り、アース線（３）の他端（３ｂ）が導電接続する先端部（４ａ）を有し作業機パイプ（２）の軸線方向視において円弧状を成して作業機パイプ（２）に回り付くことで当該作業機パイプ（２）に係止される係止部（４ｂ）と、係止部（４ｂ）の先端部（４ａ）とは反対側の回り付く端部から直線状に所定長延出して張り出し、この張り出した端部（４ｄ）に、グランドアース線（５）の一端（５ａ）が導電接続される延出部（４ｃ）と、を備え、グランドアース線（５）は、延出部（４ｃ）の端部（４ｄ）から垂下しその他端（５ｂ）が接地することを特徴としている。
【０００８】
このような背負式動力作業機の静電気除去装置によれば、作業機（１００）で発生した静電気は、アース線（３）、このアース線（３）に導電接続され円弧状を成す係止部（４ｂ）が作業機パイプ（２）に回り付くことで当該作業機パイプ（２）に係止されると共に、この係止部（４ｂ）から延出部（４ｃ）が直線状に所定長延出し張り出す導電性のクランプ（４）、この延出部（４ｃ）の端部（４ｄ）に導電接続され垂下するグランドアース線（５）を通して接地放電される。このようにグランドアース線（５）は、作業機パイプ（２）から離れた位置で垂下するため、作業者（Ｍ）がグランドアース線（５）を踏む可能性を低減できる。また、作業機パイプ（２）に回り付くことで係止される円弧状の係止部（４ｂ）の取り付け角度を作業者（Ｍ）が変更することで、グランドアース線（５）の接地長さを、作業者（Ｍ）の体型に合わせて容易に調節できる。また、このようにグランドアース線（５）の接地長さを作業者（Ｍ）の体型に合わせて調節できるため、グランドアース線（５）の接地長さの余り過ぎを防止でき、作業者（Ｍ）がグランドアース線（５）を踏む可能性を一層低減できる。また、作業者（Ｍ）が万一グランドアース線（５）を踏んでも、クランプ（４）は弾性を有する線状部材から成るため、クランプ（４）の延出部（４ｃ）、この延出部（４ｃ）に続く係止部（４ｂ）の円弧部分（４ｅ）が弾性変形して撓み、これによりクランプ（４）及びグランドアース線（５）の破損を防止できる。また、このように破損を防止するクランプ（４）の構成が、弾性を有する線状部材から成る構成であり、従来技術の保持部材のように途中にコイルばねを有する構成ではないため、部品コストを低減できる。また、クランプ（４）は、円弧状を成す係止部（４ｂ）が作業機パイプ（２）に回り付くことでその弾性を利用して係止される構成のため、この円弧状を成す係止部（４ｂ）を開くことで、工具不要で容易に着脱できる。また、格納時やトラック等での移動時には、作業機パイプ（２）からクランプ（４）を取り外したり、作業機パイプ（２）に対するクランプ（４）の取り付け角度を変え例えば直立させることで、邪魔にならないようにすることができる。
【０００９】
ここで、作業機パイプ（２）は、蛇管（２ｂ）であると、蛇管（２ｂ）の凹部（２ｄ）にクランプ（４）の係止部（４ｂ）を取り付けやすく且つクランプ（４）の係止部（４ｂ）が蛇管（２ｂ）の軸線方向にズレ難いという利点があると共に、作業者（Ｍ）が万一グランドアース線（５）を踏んでしまい、クランプ（４）の延出部（４ｃ）及びこれに続く係止部（４ｂ）の円弧部分（４ｅ）が弾性変形して撓み、弾性域を超えて変形しようとする際に、蛇管（２ｂ）も追従して弾性変形し、これにより、クランプ（４）の破損を一層防止できる。
【発明の効果】
【００１０】
このように本発明によれば、作業者がグランドアース線を踏む可能性を低減でき、且つ、グランドアース線の接地長さを作業者の体型に合わせて容易に調節でき、且つ、作業者が万一グランドアース線を踏んでも部品の破損を防止でき、且つ、部品コストを低減でき、且つ、工具不要で容易に着脱でき、且つ、格納時やトラック等での移動時に邪魔にならない背負式動力作業機の静電気除去装置を提供できる。
【図面の簡単な説明】
【００１１】
【図１】本発明の実施形態に係る静電気除去装置を備えた背負式動力作業機を背面側から見た斜視図である。
【図２】図１中の静電気除去装置を曲り管及び蛇管と共に示す斜視図である。
【図３】図２中の曲り管とアース線、アース線とクランプの接続状態を示す拡大斜視図である。
【図４】図２中の静電気除去装置を示す斜視図である。
【図５】図４中のクランプを示す図である。
【図６】図５の下面図である。
【図７】図１の背負式動力作業機を作業者が使用している状態を示す斜視図である。
【発明を実施するための形態】
【００１２】
以下、本発明に係る背負式動力作業機の静電気除去装置の好適な実施形態について添付図面を参照しながら説明する。図１は、本発明の実施形態に係る静電気除去装置を備えた背負式動力作業機を示す斜視図、図２は、静電気除去装置を曲り管及び蛇管と共に示す斜視図、図３は、曲り管とアース線、アース線とクランプの接続状態を示す拡大斜視図、図４は、静電気除去装置を示す斜視図、図５及び図６は、静電気除去装置のクランプを示す各図、図７は、作業者が背負式動力作業機を使用している斜視図である。
【００１３】
本実施形態の背負式動力作業機１００は、図７に示すように、作業者Ｍが背負バンド６により作業機本体１を背負いながら作業機パイプ２を用いて作業を行うものであり、ここでは、粉剤や粒剤等の薬剤を散布する背負式動力散布機とされている。
【００１４】
作業者Ｍにより背負われる作業機本体１は、図１に示すように、薬剤を貯留する薬剤タンク７を上部に備えると共に、動力源であるエンジンＥ、このエンジンＥの燃料を貯留する燃料タンク８、エンジンＥにより駆動される送風機９等を備える。
【００１５】
送風機９の出口には、図７に示すように、作業機パイプ２が接続される。この作業機パイプ２は、上流側から下流側に向かって、曲り管２ａ、蛇管２ｂ、噴頭２ｃをこの順に連結したものである。蛇管２ｂは弾性を有し、噴頭２ｃは、作業者Ｍの手に持たれて散布を行うためのものである。
【００１６】
ここで、本実施形態の背負式動力作業機１００にあっては、当該作業機１００で発生した静電気を除去するための静電気除去装置５０が設けられている。この静電気除去装置５０は概略、図２及び図４に示すように、作業機１００で生じた静電気を逃がすためのアース線３と、このアース線３を導電接続し作業機パイプ２の蛇管２ｂに係止される導電性のクランプ４と、このクランプ４に導電接続され静電気を接地放電するためのグランドアース線５と、を備える。
【００１７】
曲り管２ａには、図３に示すように、当該曲り管２ａから静電気を逃がすためのボルト１０、係止金具１１、ナスカン１２が連結されている。具体的には、曲り管２ａには、ボルト１０が挿着固定され、このボルト１０により、導電性を有する係止金具１１が曲り管２ａに挟持固定され、この係止金具１１の円環状の端子１１ａに、ナスカン１２が導電接続されている。そして、このナスカン１２に、アース線３の一端を成す円環状の端子３ａが導電接続されている。また、ナスカン１２には、除電テープ１３やエンジンＥからのアース線１４も導電接続されている。
【００１８】
クランプ４は、弾性を有する導電性の線状部材から成り、特に図５に示すように、係止される蛇管２ｂの軸線方向視において例えば３／４円程度の円弧状を成す係止部４ｂと、この係止部４ｂに続き直線状に延出する延出部４ｃと、を備える。
【００１９】
係止部４ｂは、その先端部４ａが、内側に向くフック形状とされている。そして、この円弧状を成す係止部４ｂが蛇管２ｂに回り付くことで当該蛇管２ｂに係止されている。具体的には、円弧状を成す係止部４ｂが、蛇管２ｂの凹部２ｄ（図２参照）に進入するようにして係止される。この状態で、係止部４ｂは、その弾性により蛇管２ｂを挟み込むような格好となっている。
【００２０】
延出部４ｃは、円弧状を成す係止部４ｂの先端部４ａとは反対側の回り付く端部から接線方向に直線状に所定長延出して張り出すもので、この延出部４ｃの張り出した端部４ｄは、図５及び図６に示すように、一巻きされて円環状に構成されている。
【００２１】
このようなクランプ４にあっては、図１〜図４に示すように、その係止部４ｂのフック形状を成す先端部４ａに、アース線３の他端を成す円環状の端子３ｂが引っ掛けられることで導電接続され、その延出部４ｃの円環状を成す端部４ｄに、ナスカン１５が導電接続されている。そして、このナスカン１５に、グランドアース線５の一端を成す円環状の端子５ａが導電接続されている。
【００２２】
このような静電気除去装置５０を備える背負式動力散布機１００にあっては、図７に示すように、作業者Ｍは噴頭２ｃを手に持ち、グランドアース線５をクランプ４の延出部４ｃの端部４ｄから垂下させてグランドアース線５の他端５ｂを接地させた状態とする。
【００２３】
このとき、作業者Ｍは、作業者Ｍの体型（身長）に合わせてクランプ４の円弧状の係止部４ｂの取り付け角度を軸線方向回りに適宜変更することで、グランドアース線５の接地長さを最適に調節する。すなわち、グランドアース線５の接地長さの余り過ぎや不足がないように調節する。そして、この状態で作業者ＭはエンジンＥを駆動する。すると、送風機９が駆動され当該送風機９からの送風により、薬剤タンク７から薬剤が引き込まれ、曲り管２ａ、蛇管２ｂを通して噴頭２ｃから散布される。
【００２４】
このような散布作業では、粉塵等を吸い込んだ時や、薬剤が例えば曲り管２ａ等を通過する際にその内壁面との衝突や摩擦等により、静電気が発生する。この静電気は、本実施形態にあっては、上記静電気除去装置５０により好適に除去される。具体的には、発生した静電気は、作業機１００の一部を構成する曲り管２ａから、ボルト１０、係止金具１１、ナスカン１２、アース線３、クランプ４、グランドアース線５を通して接地放電される。
【００２５】
このとき、クランプ４の延出部４ｃは、蛇管２ｂに係止された係止部４ｂから直線状に所定長延出し張り出し、この延出部４ｃの端部４ｄにグランドアース線５が導電接続されて垂下しているため、グランドアース線５は、作業機パイプ２（作業者Ｍ）から離れた位置で垂下しており、従って、本実施形態の静電気除去装置５０によれば、作業者Ｍがグランドアース線５を踏む可能性を低減できる。
【００２６】
また、本実施形態の静電気除去装置５０によれば、作業者Ｍが、蛇管２ｂに回り付くことで係止される円弧状の係止部４ｂの取り付け角度を適宜変更することによって、グランドアース線５の接地長さを、作業者Ｍの体型に合わせて容易に調節できる。
【００２７】
また、このようにグランドアース線５の接地長さを作業者Ｍの体型に合わせて調節できるため、グランドアース線５の接地長さの余り過ぎを防止でき、作業者Ｍがグランドアース線５を踏む可能性を一層低減できる。
【００２８】
また、作業者Ｍが万一グランドアース線５を踏んでも、クランプ４は弾性を有する線状部材から成るため、クランプ４の延出部４ｃ、この延出部４ｃに続く係止部４ｂの円弧部分４ｅ（例えば１／４円；図５参照）が弾性変形して下方へ向かうように撓み、これによりクランプ４及びグランドアース線５の破損を防止できる。
【００２９】
また、このように破損を防止するクランプ４の構成が、弾性を有する線状部材から成る構成であり、従来技術の保持部材のように途中にコイルばねを有する構成ではないため、部品コストを低減できる。
【００３０】
また、クランプ４は、円弧状を成す係止部４ｂが蛇管２ｂに回り付くことでその弾性を利用して係止される構成のため、この円弧状を成す係止部４ｂを開くことで、工具不要で容易に着脱できる。
【００３１】
また、格納時やトラック等での移動時には、蛇管２ｂからクランプ４を取り外したり、蛇管２ｂに対するクランプ４の取り付け角度を変え例えば直立させることで、邪魔にならないようにすることができる。
【００３２】
さらにまた、クランプ４の係止部４ｂは、蛇管２ｂに回り付くことで係止される構成であるため、蛇管２ｂの凹部２ｄにクランプ４の係止部４ｂを取り付けやすく且つクランプ４の係止部４ｂが蛇管２ｂの軸線方向にズレ難いという利点があると共に、作業者Ｍが万一グランドアース線５を踏んでしまい、クランプ４の延出部４ｃ及びこれに続く係止部４ｂの円弧部分４ｅが弾性変形して撓み、弾性域を超えて変形しようとする際に、蛇管２ｂも追従して弾性変形し、これにより、クランプ４の破損を一層防止できる。
【００３３】
以上、本発明をその実施形態に基づき具体的に説明したが、本発明は上記実施形態に限定されるものではなく、例えば、上記実施形態においては、特に好ましいとして、クランプ４の係止部４ｂを蛇管２ｂに係止するようにしているが、作業機パイプ２に係止できれば良い。
【００３４】
また、上記実施形態においては、動力源をエンジンＥとしているが、動力源を電動機とした背負式動力作業機に対しても適用できる。
【００３５】
また、グランドアース線５、アース線３は、例えばチェーン等の線状部材であっても良い。
【００３６】
また、上記実施形態においては、背負式動力作業機１００を背負式動力散布機としているが、ノズルにより噴霧を行う背負式動力噴霧機に対しても勿論適用可能であり、さらには、背負式ブロワに対しても適用可能である。
【符号の説明】
【００３７】
１…作業機本体、２…作業機パイプ、２ａ…曲り管（作業機の一部）、２ｂ…蛇管、３…アース線、３ａ…アース線の一端、３ｂ…アース線の他端、４…クランプ、４ａ…先端部、４ｂ…係止部、４ｃ…延出部、４ｄ…延出部の端部、５…グランドアース線、５ａ…グランドアース線の一端、５ｂ…グランドアース線の他端、５０…静電気除去装置、１００…背負式動力散布機（背負式動力作業機）、Ｅ…エンジン（動力源）、Ｍ…作業者。
【図１】
2014018139.tif 000003
【図２】
2014018139.tif 000004
【図３】
2014018139.tif 000005
【図４】
2014018139.tif 000006
【図５】
2014018139.tif 000007
【図６】
2014018139.tif 000008
【図７】
2014018139.tif 000009